(57)【要約】      （修正有）【課題】病気や事故で手、指の機能障害や低下を生じた人が自分がやりたいときに何時でも、何処ででもリハビリテーションが行えて機能回復を早め、スポーツ選手等にとっても同じように何時でも、何処ででも指力や手の握力又は腕を鍛えることが出来る機能回復補助具を提供する。【解決手段】手の５本の指をそれぞれ差し込む袋部をもった５指手袋１と、この手袋の手差込口に一体に設けられ手袋を手首部分内側に固定するための固定片と、この固定片に固定するために設けられた、手首外側から連続して伸び出た固定用折込み片２−２を重ね合わせ固定することで手首部分が指先に移動しないように係り止めされる固定用折込み片２−２とからなる手袋固定部と、手首部分に位置する固定片にそれぞれ一端を固定するとともに、各他端を人差し指、中指、薬指の各先端部に固定した３本のゴム紐と、５指手袋１の先端部相互間を環状に繋いだ１本のゴム紐を備えた機能回復補助具。【選択図】図１
2011125383.tif 000002
【特許請求の範囲】
【請求項１】
手の５本の指をそれぞれ差し込む袋部をもった５指手袋と、
この手袋の手差込口に一体に設けられ手袋を手首部分内側に固定するための固定片と、この固定片に固定するために設けられた、手首外側から連続して伸び出た固定用折込み片を重ね合わせ固定することで手首部分が指先に移動しないように、係り止めされる固定用折込み片とからなる手袋固定部と、
手首部分に位置する固定片にそれぞれ一端を固定するとともに、各他端を人差し指、中指、薬指の各先端部に固定した３本のゴム紐と、
５指手袋の先端部相互間を環状に繋いだ１本のゴム紐を備え、
手袋をはめた状態でゴム紐の張力に対抗して手を開いたり閉じたりする、あるいは５本の指間を閉じたり開いたりする機能回復補助具。
【発明の詳細な説明】
【技術分野】
【０００１】
本発明は、脳血栓や脳梗塞等で、負傷した人の機能が低下した指、手および腕などの機能回復を図る上で有効な補助具であり、更に詳しく述べれば医療の現場では作業療法士不足を補いリハビリテーション費用の削減を、あるいは野球等のスポーツ選手においては指力や握力や前腕部も上腕部も鍛え筋力強化を図ることの出来る補助具に関するものである。
【背景技術】
【０００２】
機能障害者、例えば脳血栓や脳梗塞等の脳の障害に起因して手に不自由を生じた人が多数いる。本発明はこれらの人の指や手の機能回復を早めるのに役たち、あるいはスポ−ツ選手等の指力及び握力や前腕部の筋力強化を図るのに適した補助具を提供するものである。
【０００３】
しかしこれまでのこの種の指あるいは手の機能回復補助具は市販商品には見あたらなかった。本出願人は、前記目的の機能回復補助具として先に特願２００８−２７８４５３号に記載の発明を提案した。
【先行技術文献】
【特許文献】
【０００４】
【特許文献１】特願２００８−２７８４５３号
【発明の開示】
【発明が解決しようとする課題】
【０００５】
本発明は、先の提案をさらに改良して、障害者にとっては指力あるいは手の握力の機能回復を早め、スポーツ選手等にとっては指力や手の握力や前腕部の筋力強化に適した機能回復あるいは強化のための補助具を提供するものである。
【課題を解決するための手段】
【０００６】
本発明は、通常５本の指をそれぞれ差し込む袋部をもった５指手袋を手にはめ、この手袋の手差込口に一体に設けられ手袋を手首部分に固定するための固定片のうち手首内側部分に３本のゴム紐の一端を固定し、かつ人差し指、中指、薬指の各先端部に３本のゴム紐の他端を固定するとともに、５指の先端相互間を１本のゴム紐で環状に繋いだものであって、手袋をはめた状態で手を開いたり閉じたりすることで、あるいは５本の指間を閉じたり開いたりする際、張られたゴム紐の張力に逆らった力が必要となり、このゴム紐の張力に対抗して指を広げ（手を広げ）る筋力を高めることで、指力や握力を鍛えて指や手の機能回復を早めるとともに、指力、手の握力や腕の筋力強化を図ることのできるものである。
【発明の効果】
【０００７】
本発明の補助具は、医療の現場では作業療法士がいなくても、機能障害者やスポーツ選手等が自分自身でリハビリやトレーニングが行え、機能回復を早たり、スポーツ選手等にとっては大事な指力、手の握力や、前腕部の筋力強化を図るのに適した補助具であり、医療の現場では作業療法士等の関連人件費の削減にも役立つものである。
【図面の簡単な説明】
【０００８】
【図１】本発明の補助具を左手にはめて手を結んだ図である。
【図２】本発明の補助具を左手にはめて５本の指を伸ばし、指間を開き手首固定部分を固定した図である。
【発明を実施するための形態】
【０００９】
以下、本発明の実施形態にかかる補助具を図１、図２にそって説明する。
【００１０】
図１は、傷害を負った手（ここでは左手）に５指手袋をはめたままで手を握った状態を示す。図中１は５指手袋、２−１は手袋の手差込口のうち内側部分に縫い付けにより一体に設けられた手首部分に手袋を固定するための固定片である。
この固定片２―１と重なり合うように手差込口のうち外側部分には、内側に折り返して固定片に係り止めされ、手袋を手首部分に確実に固定するための固定用折込み片２−２が外側に伸び出るように設けられている。３は固定片２−１に縫い付けたゴム紐固定片で、これには３本のゴム紐４の各一端が固定されている。なお、固定片２−１、固定用折込み片２−２の互いに向き合う片面には、係り止めのためにクラレ株式会社の登録商標マジックテープで知られたような、鉤部とループ部とからなる雄面と雌面が縫い付けられている。
固定用折込み片と固定片との止め方は、前記の鉤部とループ部の係り止めのほかスナップリングやボタン止めでも良い。しかし使用者の手首の太さ等に応じて固定位置の調整が最も容易な止め方は、前記のマジックテープによるものである。
ゴム紐固定片３部分に一端が固定された３本のゴム紐４ａ、４ｂ、４ｃの各他端は、人差し指が入った手袋先端５ａ、同じく中指が入った手袋先端５ｂ、同じく薬指が入った手袋先端５ｃにそれぞれ固定されている。       
６は前記の人差し指、中指、薬指がそれぞれ入った３本手袋先端と、親指の
入った手袋先端７ａおよび小指の入った手袋先端７ｂの５指の先端全てを環状に繋いだ１本のゴム紐である。
【００１１】
図２は、図１の握った手の状態から手を開いた、すなわち５指全ての指をピンと
伸ばした状態を示す図である。このとき５本の指先は、４で示す３本のゴム紐と６で示す５指を環状に繋ぐ１本のゴム紐の有している弾力に勝った力でゴム紐を引っ張っている。言い換えると５本の指にはゴム紐を引っ張るという負荷が掛かり、このことが手および指の開く力を強化鍛錬することになる。指に一層力を入れてこれを繰り返すことで、指あるいは手、腕の筋力を強化することになり、この動作が機能回復を早めることにつながる。
【００１２】
さらにこの手袋のサイズは、男性用、女性用、子供用共に左、右一対そろえて、使用者の年齢、体格に応じたものを用意すると良い。こうすれば老若男女を問わず、いずれの人も利用することが出来る。その際、指力や握力には個人差があるため、ゴムの長さと引っ張り弾力の強さは個人に応じて強弱に設定することとする。例えばサイズは、SS,S,M,L,LLの５タイプか、さらにはこれに加えてオーダーメイドサイズを揃えるとよい。
【符号の説明】
【００１３】
１      ５指手袋
２−１  手首固定片
２−２  固定用折り込み片
３      ゴム紐固定片
４      手首部分と手袋の３本の指の各先端を繋ぐゴム紐
４ａ、４ｂ、４ｃ  人差し指、中指，薬指の入った手袋先端          
５  手袋の５指先端全てを環状に繋ぐゴム紐
【図１】
2011125383.tif 000003
【図２】
2011125383.tif 000004